(57)【要約】【課題】頻繁に利用する文言および表現を統一し、簡便な方法で入力を行い、入力個所に応じて正確に使い分けることが可能な情報入力システムを提供することを目的とする。【解決手段】ネットワークにより通信可能な状態に接続された端末装置およびサーバにおいて、端末装置における情報入力画面に、予め複数階層の分類情報および分類情報の組み合わせ毎に複数の候補値群が登録されている項目の入力領域において候補値群を表示する画面を自動的に表示する候補値画面表示手段と、分類情報に基づいて該項目の候補値群を絞り込み候補値画面に表示する候補値表示手段と、候補値画面に表示した候補値群から１つの候補値を選択する候補値選択手段と、選択した候補値を情報入力画面の該情報入力領域の値として複写する候補値複写手段とを設けたを情報入力システムを提供する。【選択図】  図１
2004246517.tif 000002
【特許請求の範囲】
【請求項１】
ネットワークにより通信可能な状態に接続された端末装置およびサーバにおいて、前記端末装置から値を入力し、前記サーバが備えるデータベースの各項目に値を入力する情報入力システムであって、
前記端末装置における情報入力画面が、
予め複数階層の分類情報、および分類情報の組み合わせ毎に複数の候補値群が登録されている項目の入力領域において、前記候補値群を表示する画面を自動的に表示する候補値画面表示手段と、
前記分類情報に基づいて、該項目の候補値群を絞り込み、前記候補値画面に表示する候補値表示手段と、
前記候補値画面に表示した候補値群から、１つの候補値を選択する候補値選択手段と、
前記選択した候補値を前記情報入力画面の該情報入力領域の値として複写する候補値複写手段と、
を備えることを特徴とする情報入力システム。
【請求項２】
請求項１記載の情報入力システムであって、
前記端末装置における情報入力画面が、
前記候補値群を絞り込むために使用した前記分類情報を、該項目と異なる情報入力領域の値として複写する分類情報複写手段、
を備えること特徴とする情報入力システム。
【請求項３】
請求項１または２記載の情報入力システムであって、
前記端末装置における情報入力画面が、
入力する項目に対して、複数階層の分類項目毎に候補値を登録する候補値登録手段、
を備えることを特徴とする情報入力システム。
【請求項４】
請求項１から３のいずれかに記載の情報入力システムであって、
前記端末装置における情報入力画面が、
入力する項目に対して、予め作成してあるテキストファイルの各レコードから、複数階層の分類項目毎の候補値を一括で登録する候補値一括登録手段、
を備えることを特徴とする情報入力システム。
【請求項５】
請求項１から４のいずれかに記載の情報入力システムであって、
前記分類情報が、
該分類情報に対する候補値群、
を備えることを特徴とする情報入力システム。
【請求項６】
請求項１から５のいずれかに記載の情報入力システムであって、
前記端末装置における情報入力画面が、
前記分類情報に対する候補値群を階層的に絞り込むことにより、入力項目に対する前記候補値群の１つの候補値を選択する分類絞り込み手段、
を備えることを特徴とする情報入力システム。
【請求項７】
コンピュータを請求項１から６に係る情報入力システムとして動作可能にするプログラム。
【請求項８】
コンピュータを請求項１から６に係る情報入力システムとして動作可能にするプログラムを記録したコンピュータ読み取り可能な記録媒体。
【発明の詳細な説明】
【０００１】
【発明の属する技術分野】
本発明は、情報端末とデータベース・サーバをネットワークにより接続した情報入力システムに関し、特に文字情報の入力に関するものである。
【０００２】
【従来の技術】
従来、情報端末とデータベース・サーバをインターネットのＷＷＷ（  Ｗｏｒｌｄ  Ｗｉｄｅ  Ｗｅｂ）の技術を用いて接続し、情報端末のＷＷＷブラウザ（以下、単に「ブラウザ」という）から情報を入力し、サーバ上のデータベースに記憶するシステムが構築されている。
【０００３】
このようなシステムは、サーバがＨＴＭＬ（ＨｙｐｅｒＴｅｘｔ  Ｍａｒｋｕｐ  Ｌａｎｇｕａｇｅ）やＣＧＩ（Ｃｏｍｍｏｎ  Ｇａｔｅｗａｙ  Ｉｎｔｅｒｆａｃｅ）などを利用して、情報入力用の入力画面を生成し、情報端末に送信する。
【０００４】
情報端末側では、ブラウザが受信した情報から入力画面を生成して表示し、情報入力者が、その入力画面に対して情報を入力し、入力された情報をサーバに送信することで、サーバのデータベースへの入力を行う。
【０００５】
係るシステムにおいて、情報入力者の入力作業の支援のため、テンプレートにより、個々の情報入力者に対して入力画面に項目を表示するか否か、表示する場合の表示順序、その項目の規定値を設定する情報入力システムがある（例えば、特許文献１参照。）。
【０００６】
【特許文献１】
特開２０００−２９３３００号公報
【０００７】
しかしながら、例えば、商品毎の特徴や説明などの文字情報の入力または変更（編集）など、ほとんど同等の文言や表現であるが、商品のカテゴリやシリーズなどに応じて正確に使い分けて入力する項目に対しては、容易な入力支援がないのが現実である。
【０００８】
従来、頻繁に使用する文言および表現は、別途文字情報として保存しておき、保存している文字情報から必要に応じて使用する文言および表現をコピーし、該当する入力領域へ貼り付けるなど、極めて入力の効率が悪かった。
【０００９】
また、情報入力者により保存している文字情報が異なったり、その場で直接入力を行う場合は、文言および表現を整えて統一するためには、画面に一覧を表示したり、一覧を印刷するなどの方法を用いて、結局は目視で確認するなどしか方法がなかった。
【００１０】
【発明が解決しようとする課題】
本発明は、上述の問題に鑑みてなされたものであり、頻繁に利用する文言および表現を統一し、簡便な方法で入力を行い、入力個所に応じて正確に使い分けることが可能な情報入力システムを提供することを目的とする。
【００１１】
【課題を解決するための手段】
上記目的を達成するために、本発明の第１の態様は、ネットワークにより通信可能な状態に接続された端末装置およびサーバにおいて、前記端末装置から値を入力し前記サーバが備えるデータベースの各項目に値を入力する情報入力システムにおいて、前記端末装置における情報入力画面に、予め複数階層の分類情報および分類情報の組み合わせ毎に複数の候補値群が登録されている項目の入力領域において前記候補値群を表示する画面を自動的に表示する候補値画面表示手段と、前記分類情報に基づいて該項目の候補値群を絞り込み前記候補値画面に表示する候補値表示手段と、前記候補値画面に表示した候補値群から１つの候補値を選択する候補値選択手段と、前記選択した候補値を前記情報入力画面の該情報入力領域の値として複写する候補値複写手段とを設けたものである。
【００１２】
本発明の第２の態様は、上述の第１の態様に係る情報入力システムにおいて、前記端末装置における情報入力画面に、前記候補値群を絞り込むために使用した前記分類情報を該項目と異なる情報入力領域の値として複写する分類情報複写手段を設けたものである。
【００１３】
本発明の第３の態様は、上述の第１または２の態様に係る情報入力システムにおいて、前記端末装置における情報入力画面に、入力する項目に対して複数階層の分類項目毎に候補値を登録する候補値登録手段を設けたものである。
【００１４】
本発明の第４の態様は、上述の第１から３の態様に係る情報入力システムにおいて、前記端末装置における情報入力画面に、入力する項目に対して予め作成してあるテキストファイルの各レコードから複数階層の分類項目毎の候補値を一括で登録する候補値一括登録手段を設けたものである。
【００１５】
本発明の第５の態様は、上述の第１から４の態様に係る情報入力システムにおいて、前記分類情報に、該分類情報に対する候補値群を設けたものである。
【００１６】
本発明の第６の態様は、上述の第１から５の態様に係る情報入力システムにおいて、前記端末装置における情報入力画面に、前記分類情報に対する候補値群を階層的に絞り込むことにより、入力項目に対する前記候補値群の１つの候補値を選択する分類絞り込み手段を設けたものである。
【００１７】
本発明の第７の態様は、コンピュータを、上述の第１から６に係る情報入力システムとして動作させるためのプログラムを提供するようにしたものである。
【００１８】
本発明の第８の態様は、コンピュータを、上述の第１から６に係る情報入力システムとして動作させるためのプログラムをコンピュータ読み取り可能な記録媒体に記録して提供するようにしたものである。
【００１９】
【発明の実施の形態】
以下、本発明を図示する実施形態に基づいて説明する。図１は、本発明の情報入力システム１の一実施例を示す構成図である。情報入力システム１は、サーバ２と、端末装置３とが、ＬＡＮ、インターネットなどのネットワーク４により通信可能な状態で接続されている。
【００２０】
サーバ２は、データベース５を備えており、ネットワーク４を介して、端末装置３に対して、データベース５に記憶したデータの検索、あるいはデータの登録のサービスを提供する。
【００２１】
また、サーバ２は、ＷＷＷサーバ機能を実現するためのプログラムを備えており、端末装置３との間でＨＴＴＰ（ＨｙｐｅｒＴｅｘｔ  Ｔｒａｎｓｆｅｒ  Ｐｒｏｔｏｃｏｌ）プロトコルに従う通信を行う。
【００２２】
更に、サーバ２は、図示および説明を省略するが、利用者の認証、メニュー処理、入力画面処理、データベース操作など、データベース５にアクセスするためのプログラムを備えており、これらの各プログラムはＨＴＭＬやＣＧＩプログラムを用いてＷｅｂページとして実現している。
【００２３】
端末装置３は、サーバ２とＨＴＴＰプロトコルによる通信を行い、サーバ２から受信したＷｅｂページを処理可能なブラウザを備えている。
【００２４】
図２は、サーバ２から受信した情報入力画面６（Ｗｅｂページ）の一実施例である。情報入力画面６は、データベース５へ情報入力するための入力領域、機能を実行するためのボタンなどがある。
【００２５】
図３は、情報入力画面６の機能的な構成を示した機能ブロック図である。各機能は、ＨＴＭＬファイル内にスクリプト言語と呼ばれているプログラム言語により記述されている。
【００２６】
情報入力画面６は、候補値登録手段７、候補値一括登録手段８、候補値画面表示手段９、候補値表示手段１０、候補値選択手段１１、候補値複写手段１２、分類情報複写手段１３を備えている。
【００２７】
候補値登録手段７は、データベース５の文字情報を入力する項目を選択し、当該項目の複数階層の分類情報および分類情報の組み合わせ毎に、キーボードなどから入力された複数の候補値群を登録するものである。
【００２８】
図４は、例えば、商品特徴の説明文を入力する「Ｃ＿項目０１」という項目に対して、「分類１」〜「分類３」の３階層の分類情報を設け、各々の分類情報の組み合わせに対して候補値群を入力した例である。
【００２９】
候補値一括登録手段８は、候補値群を登録する際に、予め複数階層の分類情報および分類情報の組み合わせ毎に複数の候補値群を入力したテキストファイルを用意しておき、当該テキストファイルの全レコードを読み込み、一括で候補値群を登録するものである。
【００３０】
候補値画面表示手段９は、図２に示す情報入力画面６において、例えば、カーソルが、「特徴」などの予め候補値群が設定されている項目の情報入力領域への移動すると、図５に示す情報入力画面６と別画面の候補値選択画面を自動的に表示するものである。
【００３１】
候補値表示手段１０は、候補値選択画面に対して、分類情報を入力した後、例えば、「検索」ボタンを押下して指示を行うと、候補値群を検索し、分類情報が一致する候補値群に絞り込み、該当する候補値群をプルダウンリストなどの形式で一覧表示するものである。
【００３２】
図５は、「分類１」として「寸法」を指定し、「分類２」および「分類３」を特に指定しない（「全件」）とした例であり、図４の候補値群においては、「分類１」に「寸法」が指定されている３件の候補値群を表示した例である。
【００３３】
候補値選択手段１１は、候補値表示手段１０により候補値選択画面に表示された候補値群から、１つの候補値を選択するものである。
【００３４】
候補値複写手段１２は、候補値選択手段１１により選択された候補値を、例えば、「特徴」などの情報入力領域に複写し、当該情報入力領域に対する入力を行うものである。候補値複写手段１２により入力された情報は、情報入力画面６がサーバ２へ送られ、データベース５の当該項目として入力される。
【００３５】
分類情報複写手段１３は、候補値選択画面に入力した候補値群を絞り込むための分類情報を、情報入力画面６の当該分類情報に該当する情報入力領域の入力内容として複写するものである。
【００３６】
図４および図５においては、候補値群を絞り込むために「分類１」に入力した「寸法」という値が、例えば、「分類１」という項目の情報入力領域への入力とすることができる。
【００３７】
また、各々の項目だけでなく、分類情報に対しても候補値群を設定することができる。図６は、「メディア名」、「Ｃ＿カテゴリ大分類」、「Ｃ＿カテゴリ中分類」という項目の各々に候補値群を登録したものである。
【００３８】
更に、図６の候補値群を用いた場合、図７に示す分類絞り込み手段（分類絞り込み画面）により、「親項目ＩＤ」がない「メディア名」を第１階層として選択し、「メディア名」の「項目ＩＤ」の「１」を「親項目ＩＤ」に持つ「１｜汎用機器・計測機器」と「２｜培養・分離・分析」から２階層目を選択し、候補値「１｜汎用機器・計測機器」の「項目ＩＤ」の「３」を「親項目ＩＤ」に持つ４件から３階層目選択するなど、分類情報を階層的に絞り込むことが可能である。
【００３９】
以上、本発明を実施の形態に基づいて詳細に説明してきたが、本発明による情報入力システムは、上述の実施の形態に何ら限定されるものではなく、本発明の趣旨を逸脱しない範囲において種々の変更が可能なことは当然のことである。
【００４０】
【発明の効果】
以上のとおりであるから、本発明に係る情報入力システムによれば、情報入力領域において、候補値選択画面を自動的に表示し、プルダウンリストなどから簡単に候補値を選択して、入力することが可能になる。
【００４１】
また、分類情報にも候補値群を設定することにより、分類情報を指定する際も候補値を階層的に絞り込むだけになり、誤った分類情報を入力することがなく、簡便な方法により候補値群を選択し、入力することが可能になる。
【００４２】
候補値群から項目の情報入力領域に複写するため、文字数が多い文字情報の入力においても、文言および表現を統一して、入力することが可能になる。
【図面の簡単な説明】
【図１】本発明の一実施の形態を示す構成図である。
【図２】本発明の情報入力画面の例である。
【図３】本発明の情報入力画面の機能的な構造を示す機能ブロック図である。
【図４】本発明の候補値群の設定の例である。
【図５】本発明の候補値選択画面の例である。
【図６】本発明の分類情報に対して候補値群を設定する場合の例である。
【図７】本発明の分類情報を候補値群から階層的に絞り込む場合の例である。
【符号の説明】
１  情報入力システム
２  サーバ
３  端末装置
４  ネットワーク
５  データベース
６  情報入力画面
７  候補値登録手段
８  候補値一括登録手段
９  候補値画面表示手段
１０  候補値表示手段
１１  候補値選択手段
１２  候補値複写手段
１３  分類情報複写手段
【図１】
2004246517.tif 000003
【図２】
2004246517.tif 000004
【図３】
2004246517.tif 000005
【図４】
2004246517.tif 000006
【図５】
2004246517.tif 000007
【図６】
2004246517.tif 000008
【図７】
2004246517.tif 000009